(57)【特許請求の範囲】
【請求項１】
被測定者が把持可能な手側測定部と、該手側測定部に接続された載置部とを有する生体データ測定器であって、
前記手側測定部の水平方向に対する傾きが所定の範囲内にあるか否かを判断する判断手段であって、該判断手段は、該手側測定部に設けられた該手側測定部の水平方向に対する傾きを検出する傾き検出部を有し、該傾き検出部により検出された水平方向に対する傾きが所定の角度内にあるか否かにより該手側測定部の水平方向に対する傾きが所定の範囲内にあるか否かを判断するものと、
前記判断手段により前記手側測定部の水平方向に対する傾きが所定の範囲内にあると判断された場合、前記手側測定部、又は前記手側測定部及び前記載置部にデータを測定させ、該データを所定の記録部に記録する制御手段と、
前記判断手段により前記手側測定部の水平方向に対する傾きが所定の範囲内にあると判断されなかった場合、所定のデータを出力すると共に所定のフラグをセットするデータ出力手段とを備え、
前記制御手段により前記所定の記録部に記録されたデータに基づき生体データを測定することを特徴とする生体データ測定器。
【請求項２】
請求項１記載の生体データ測定器において、前記制御手段は、前記判断手段により前記手側測定部の水平方向に対する傾きが所定の範囲内にあると判断された場合であって且つ前記所定のフラグがセットされていた場合、該所定のフラグをリセットし、前記手側測定部、又は前記手側測定部及び前記載置部にデータを測定させ、該データを所定の記録部に最初から記録することを特徴とする生体データ測定器。
【請求項３】
請求項１記載の生体データ測定器において、前記制御手段は、前記判断手段により前記手側測定部の水平方向に対する傾きが所定の範囲内にあると判断された場合であって且つ前記所定のフラグがセットされていた場合、該所定のフラグをリセットし、前記手側測定部、又は前記手側測定部及び前記載置部にデータを測定させ、該データを所定の記録部に従前のデータに続けて記録することを特徴とする生体データ測定器。
【請求項４】
請求項１乃至３のいずれかに記載の生体データ測定器において、前記手側測定部はグリップ電極部であり、前記生体データは体組成に関するデータであることを特徴とする生体データ測定器。
【発明の詳細な説明】
【技術分野】
【０００１】
本発明は、被測定者が把持可能な手側測定部と、当該手側測定部に接続された載置部とを有する生体データ測定器に関する。
【背景技術】
【０００２】
近年、種々の体組成計が開発されており、その中にはユーザが手でグリップ電極を握るタイプの体組成計等がある。このタイプの体組成計等は、ユーザが手でグリップ電極を握ると手から電流を流し、インピーダンス等のデータを測定することにより体組成に関する値、例えば体脂肪率を求めている。ユーザが測定毎に手を電極に当てる位置を変化させる等、グリップ電極を適切に把持しない場合、測定されるデータの値も変化してしまうため、ユーザがグリップ電極を適切に把持するよう種々の注意が促されている（非特許文献１）。
【０００３】
【非特許文献１】“正確な測定のために”、［online］、オムロン株式会社、［平成１９年６月２０日検索］、インターネット、<URL: http://www.healthcare.omron.co.jp/product/pdf_manual/hbf354_m.pdf>
【発明の開示】
【発明が解決しようとする課題】
【０００４】
上述のように、手でグリップ電極を握るタイプの体組成計等ではユーザがグリップ電極を適切に把持するよう種々の注意が促されている。しかし、様々なユーザに対して測定の度にグリップ電極を適切に把持するようにさせることは困難であるという問題があった。
【０００５】
そこで、本発明の目的は、上記問題を解決するためになされたものであり、手でグリップ電極を握るタイプの体組成計等において、様々なユーザに対して測定の度にグリップ電極を適切に把持するように制御可能な生体データ測定器を提供することにある。
【課題を解決するための手段】
【０００６】
この発明の生体データ測定器は、被測定者が把持可能な手側測定部と、該手側測定部に接続された載置部とを有する生体データ測定器であって、前記手側測定部の水平方向に対する傾きが所定の範囲内にあるか否かを判断する判断手段であって、該判断手段は、該手側測定部に設けられた該手側測定部の水平方向に対する傾きを検出する傾き検出部を有し、該傾き検出部により検出された水平方向に対する傾きが所定の角度内にあるか否かにより該手側測定部の水平方向に対する傾きが所定の範囲内にあるか否かを判断するものと、前記判断手段により前記手側測定部の水平方向に対する傾きが所定の範囲内にあると判断された場合、前記手側測定部、又は前記手側測定部及び前記載置部にデータを測定させ、該データを所定の記録部に記録する制御手段と、前記判断手段により前記手側測定部の水平方向に対する傾きが所定の範囲内にあると判断されなかった場合、所定のデータを出力すると共に所定のフラグをセットするデータ出力手段とを備え、前記制御手段により前記所定の記録部に記録されたデータに基づき生体データを測定することを特徴とする。
【００１０】
ここで、この発明の生体データ測定器において、前記制御手段は、前記判断手段により前記手側測定部の水平方向に対する傾きが所定の範囲内にあると判断された場合であって且つ前記所定のフラグがセットされていた場合、該所定のフラグをリセットし、前記手側測定部、又は前記手側測定部及び前記載置部にデータを測定させ、該データを所定の記録部に最初から記録することができる。
【００１１】
ここで、この発明の生体データ測定器において、前記制御手段は、前記判断手段により前記手側測定部の水平方向に対する傾きが所定の範囲内にあると判断された場合であって且つ前記所定のフラグがセットされていた場合、該所定のフラグをリセットし、前記手側測定部、又は前記手側測定部及び前記載置部にデータを測定させ、該データを所定の記録部に従前のデータに続けて記録することができる。
【００１２】
ここで、この発明の生体データ測定器において、前記手側測定部はグリップ電極部であり、前記生体データは体組成に関するデータであるものとすることができる。
【発明の効果】
【００１３】
本発明の生体データ測定器は、グリップ電極部の傾きが所定の範囲内にあるか否かを判断する判断部と、判断部によりグリップ電極部の傾きが所定の範囲内にあると判断された場合、グリップ電極部、またはグリップ電極部および載置測定部にインピーダンス等のデータを測定させ、この測定させたデータをディスク等に設けられたデータ記録テーブルＴＡＢＬＥに記録する制御部とを備えている。生体データ測定器は、制御部によりデータ記録テーブルＴＡＢＬＥに記録されたデータに基づき生体データを測定する。判断部は、グリップ電極部に設けられたグリップ電極部の傾きを検出する角度センサを有している。判断部は左手用グリップ部内の角度センサにより検出されたグリップ電極部の水平方向に対する傾きが所定の角度内にあるか否かによりグリップ電極部の傾きが所定の範囲内（好適にはほぼ水平）にあるか否かを判断することができる。この結果、制御部はグリップ電極部、またはグリップ電極部および載置測定部にインピーダンス等のデータを測定させ、この測定させたデータをデータ記録テーブルＴＡＢＬＥに記録する。生体データ測定器は、制御部によりデータ記録テーブルＴＡＢＬＥに記録されたデータに基づき生体データを測定する。一方、左手用グリップ部内の角度センサにより検出されたグリップ電極部の水平方向に対する傾きが所定の角度内ではない場合、判断部は左手用グリップ部内の角度センサにより検出されたグリップ電極部の水平方向に対する傾きが所定の範囲内にあるとは判断しないことになる。この結果、制御部はグリップ電極部、またはグリップ電極部および載置測定部にインピーダンス等のデータを測定させず、データ記録テーブルＴＡＢＬＥへのデータの記録も行わない。この結果、生体データ測定器は生体データを測定可能な状態ではなくなる。以上より、判断部は左手用グリップ部内の角度センサにより検出されたグリップ電極部の傾きがほぼ水平である場合にのみグリップ電極部の傾きが所定の範囲内にあると判断し、この結果、制御部はグリップ電極部、またはグリップ電極部および載置測定部にインピーダンス等のデータを測定させ、この測定させたデータをデータ記録テーブルＴＡＢＬＥに記録する。生体データ測定器は、制御部によりデータ記録テーブルＴＡＢＬＥに記録されたデータに基づき生体データを測定する。このため、本発明の生体データ測定器によれば、手でグリップ電極部を握るタイプの体組成計等において、様々なユーザに対して測定の度にグリップ電極を適切に把持するように制御することが可能となるという効果がある。
【発明を実施するための最良の形態】
【００１４】
以下、各実施例について図面を参照して詳細に説明する。
【実施例１】
【００１５】
図１は、本発明の実施例１における生体データ測定器１の斜視図を示す。図１において、符号１０はグリップ電極部（手側測定部）であり、左手用グリップ部１１Ｌおよび右手用グリップ部１１Ｒを有している。左手用グリップ部１１Ｌは左手用通電電極１２ＬＩと左手用測定電極１２ＬＶとを有しており、右手用グリップ部１１Ｒは右手用通電電極１２ＲＩと右手用測定電極１２ＲＶとを有している。符号１３はグリップ電極部１０に設けられた表示部、１５は生体データ測定器１の載置部、１４はグリップ電極部１０と本体１５とを接続するコードである。生体データ測定器１ではグリップ電極部１０のみでインピーダンス等のデータを測定することもできるが、グリップ電極部１０および載置部１５でインピーダンス等のデータを測定することが好適である。このため、以下では載置部１５をデータを測定する場合を含めて載置測定部１５と呼ぶ。載置測定部１５は左足用通電電極１５ＬＩおよび左足用測定電極１５ＬＶと、右足用通電電極１５ＲＩおよび右足用測定電極１５ＲＶとを有している。図1において符号２０は生体データ測定器１の機能を示す機能ブロックであり、生体データ測定器１は、グリップ電極部１０の傾きが所定の範囲内にあるか否かを判断する判断部（判断手段）２１と、判断部２１によりグリップ電極部１０の傾きが所定の範囲内にあると判断された場合、グリップ電極部１０、またはグリップ電極部１０および載置測定部１５にインピーダンス等のデータを測定させ、この測定させたデータを所望のメモリ３０等に設けられたデータ記録テーブルＴＡＢＬＥ（所定の記録部）４０に記録する制御部（制御手段）２３とを備えている。生体データ測定器１は、制御部２３によりデータ記録テーブルＴＡＢＬＥ４０に記録されたデータに基づき生体データを測定する。生体データとしては体組成に関するデータ（値）、例えば体脂肪率が好適である。機能ブロック２０に示される機能は、ハードウェアもしくはソフトウェア、またはハードウェアとソフトウェアとの組合せにより実現することができる。ソフトウェアにより実現する場合、グリップ電極部１０内または載置測定部１５内にあるＣＰＵ等の処理部（不図示）が機能を実行することになる。データ記録テーブルＴＡＢＬＥ４０はグリップ電極部１０内または載置測定部１５内に設けることができる。載置測定部１５とグリップ電極部１０との間の通信はコード１４を介して行われる。載置測定部１５内に処理部がある場合、グリップ電極部１０で測定されたデータはコード１４を介して載置測定部１５へ送信される。逆に、グリップ電極部１０内に処理部がある場合、載置測定部１５で測定されたデータはコード１４を介してグリップ電極部１０へ送信される。
【００１６】
判断部２１は、図１に示されるようにグリップ電極部１０に設けられたグリップ電極部１０の傾きを検出する角度センサ（傾き検出部）２２を有している。角度センサ２２は左手用グリップ部１１Ｌと右手用グリップ部１１Ｒとに各々内蔵されているため、図１では左手用グリップ部１１Ｌ（２２）、右手用グリップ部１１Ｒ（２２）と示している。
【００１７】
図２（Ａ）、（Ｂ）は判断部２１が角度センサ２２を用いてグリップ電極部１０の傾きを判断する場合を説明するために左手用グリップ部１１Ｌの一部を示す。図２（Ａ）、（Ｂ）で図１と同じ符号を付した箇所は同じ要素を示すため説明は省略する。判断部２３は左手用グリップ部１１Ｌ内の角度センサ２２により検出されたグリップ電極部１０の水平方向に対する傾きが所定の角度内にあるか否かによりグリップ電極部１０の傾きが所定の範囲内にあるか否かを判断することができる。グリップ電極部１０の傾きは測定上ほぼ水平であることが好適である。図２（Ａ）は、グリップ電極部１０の傾きがほぼ水平である場合を示している。この場合、判断部２３は左手用グリップ部１１Ｌ内の角度センサ２２により検出されたグリップ電極部１０の傾きがほぼ水平であるため、グリップ電極部１０の傾きが所定の範囲内にあると判断する。この結果、制御部２３はグリップ電極部１０、またはグリップ電極部１０および載置測定部１５にインピーダンス等のデータを測定させ、この測定させたデータをデータ記録テーブルＴＡＢＬＥ４０に記録する。生体データ測定器１は、制御部２３によりデータ記録テーブルＴＡＢＬＥ４０に記録されたデータに基づき生体データを測定する。より詳しくは、データ記録テーブルＴＡＢＬＥ４０に生体データ測定器１が生体データを測定可能となるだけの所定の量のデータが記録された場合に、生体データ測定器１はデータ記録テーブルＴＡＢＬＥ４０に記録されたデータに基づき生体データを測定する。この点に関しては実施例３で詳述する。一方、図２（Ｂ）はグリップ電極部１０の水平方向への傾き（θ）が水平から大きく外れ、所定の範囲内（角度α内）ではなくなった場合を示している。この場合、判断部２３は左手用グリップ部１１Ｌ内の角度センサ２２により検出されたグリップ電極部１０の水平方向に対する傾きが所定の範囲内（角度α内）にあるとは判断しないことになる。この結果、制御部２３はグリップ電極部１０、またはグリップ電極部１０および載置測定部１５にインピーダンス等のデータを測定させず、データ記録テーブルＴＡＢＬＥ４０へのデータの記録も行わない。この結果、生体データ測定器１は生体データを測定可能な状態ではなくなるが、この点に関しても実施例３で併せて詳述する。
【００１８】
以上、左手用グリップ部１１Ｌ内の角度センサ２２を用いた場合について説明したが、右手用グリップ部１１Ｒ内の角度センサ２２を用いた場合についても同様であるため、右手用グリップ部１１Ｒの角度センサ２２を用いた場合についての説明は省略する。角度センサ２２はグリップ電極部１０の水平方向に対する角度を検出するため、左手用グリップ部１１Ｌまたは右手用グリップ部１１Ｒのいずれか一方にだけ設置してもよく、グリップ電極部１０の中央にある表示部１３側にだけ設置してもよい。上述の説明ではグリップ電極部１０の傾きがほぼ水平である場合に所定の範囲内にあるものとしたが、これとは逆に、グリップ電極部１０の傾きが水平ではない場合（例えば、図２（Ｂ）の場合）に所定の範囲内にあるものとし、グリップ電極部１０の傾きがほぼ水平の場合（例えば、図２（Ａ）の場合）に所定の範囲内にはないものとしてもよい。即ち、グリップ電極部１０の傾きが水平ではない場合にインピーダンス等のデータを測定させ、グリップ電極部１０の傾きがほぼ水平の場合にインピーダンス等のデータを測定しないようにしてもよい。
【００１９】
以上より、本発明の実施例１によれば、生体データ測定器１は、グリップ電極部１０の傾きが所定の範囲内にあるか否かを判断する判断部２１と、判断部２１によりグリップ電極部１０の傾きが所定の範囲内にあると判断された場合、グリップ電極部１０、またはグリップ電極部１０および載置測定部１５にインピーダンス等のデータを測定させ、この測定させたデータをデータ記録テーブルＴＡＢＬＥ４０に記録する制御部２３とを備えている。生体データ測定器１は、制御部２３によりデータ記録テーブルＴＡＢＬＥ４０に記録されたデータに基づき生体データを測定する。生体データ測定器１ではグリップ電極部１０のみでインピーダンス等のデータを測定することもできるが、グリップ電極部１０および載置測定部１５でインピーダンス等のデータを測定することが好適である。判断部２１は、図１に示されるようにグリップ電極部１０に設けられたグリップ電極部１０の傾きを検出する角度センサ２２を有している。判断部２３は左手用グリップ部１１Ｌ内の角度センサ２２により検出されたグリップ電極部１０の水平方向に対する傾きが所定の角度内にあるか否かによりグリップ電極部１０の傾きが所定の範囲内（好適にはほぼ水平）にあるか否かを判断することができる。この結果、制御部２３はグリップ電極部１０、またはグリップ電極部１０および載置測定部１５にインピーダンス等のデータを測定させ、この測定させたデータをデータ記録テーブルＴＡＢＬＥ４０に記録する。生体データ測定器１は、制御部２３によりデータ記録テーブルＴＡＢＬＥ４０に記録されたデータに基づき生体データを測定する。一方、左手用グリップ部１１Ｌ内の角度センサ２２により検出されたグリップ電極部１０の水平方向に対する傾きが所定の角度（α）内ではない場合、判断部２３は左手用グリップ部１１Ｌ内の角度センサ２２により検出されたグリップ電極部１０の水平方向に対する傾きが所定の範囲内（角度α内）にあるとは判断しないことになる。この結果、制御部２３はグリップ電極部１０、またはグリップ電極部１０および載置測定部１５にインピーダンス等のデータを測定させず、データ記録テーブルＴＡＢＬＥ４０へのデータの記録も行わない。この結果、生体データ測定器１は生体データを測定可能な状態ではなくなる。以上より、判断部２３は左手用グリップ部１１Ｌ内の角度センサ２２により検出されたグリップ電極部１０の傾きがほぼ水平である場合（水平方向への傾きが所定の範囲内（角度α内）にある場合）にのみグリップ電極部１０の傾きが所定の範囲内にあると判断し、この結果、制御部２３はグリップ電極部１０、またはグリップ電極部１０および載置測定部１５にインピーダンス等のデータを測定させ、この測定させたデータをデータ記録テーブルＴＡＢＬＥ４０に記録する。生体データ測定器１は、制御部２３によりデータ記録テーブルＴＡＢＬＥ４０に記録されたデータに基づき生体データを測定する。このため、手でグリップ電極部１０を握るタイプの体組成計１等において、様々なユーザに対して測定の度にグリップ電極を適切に把持するように制御することが可能となる。
【実施例２】
【００２０】
図３は、本発明の実施例２における生体データ測定器２の斜視図を示す。図３で図１と同じ符号を付した箇所は同じ要素を示すため説明は省略する。図３に示される生体データ測定器２が実施例１の生体データ測定器１と異なる点は以下の通りである。判断部２１’は、グリップ電極部１０に設けられた赤外線（所定の無線）を送信する赤外線送信部（送信部）２４と載置測定部１５に設けられた赤外線受信部（受信部）２５とを有するか、または、載置測定部１５に設けられた赤外線を送信する赤外線送信部２４とグリップ電極部１０に設けられた赤外線受信部２５とを有している。すなわち、赤外線送信部２４はグリップ電極部１０にあっても載置測定部１５にあってもよく、赤外線受信部２５は載置測定部１５にあってもグリップ電極部１０にあってもよい。この点を図３ではグリップ電極部１０と載置測定部１５とに各々符号２４、２５と記すことにより示す。
【００２１】
図４（Ａ）、（Ｂ）は判断部２１’が赤外線送信部２４と赤外線受信部２５とを用いてグリップ電極部１０の傾きを判断する場合を説明するための図である。図４（Ａ）、（Ｂ）で図３と同じ符号を付した箇所は同じ要素を示すため説明は省略する。図面の都合上、グリップ電極部１０と載置測定部１５とを接続するコード１４は省略する。判断部２１’はグリップ電極部１０に設けられた赤外線送信部２４により送信された赤外線を載置測定部１５に設けられた赤外線受信部２５が受信したか否かにより、グリップ電極部１０の傾きが所定の範囲内にあるか否かを判断することができる。グリップ電極部１０の傾きは、実施例１と同様に測定上ほぼ水平であることが好適である。図４（Ａ）は、グリップ電極部１０の傾きがほぼ水平である場合を示している。図４（Ａ）に示されるように、赤外線送信部２４により送信された赤外線はある一定の幅Ｓで広がるが、グリップ電極部１０の傾きがほぼ水平である場合は、赤外線受信部２５により受信することができる。判断部２１’は赤外線送信部２４により送信された赤外線を赤外線受信部２５が受信したため、グリップ電極部１０の傾きが所定の範囲内にあると判断する。この結果、制御部２３はグリップ電極部１０、またはグリップ電極部１０および載置測定部１５にインピーダンス等のデータを測定させ、この測定させたデータをデータ記録テーブルＴＡＢＬＥ４０に記録する。生体データ測定器２は、制御部２３によりデータ記録テーブルＴＡＢＬＥ４０に記録されたデータに基づき生体データを測定する。より詳しくは、データ記録テーブルＴＡＢＬＥ４０に生体データ測定器１が生体データを測定可能となるだけの所定の量のデータが記録された場合に、生体データ測定器１はデータ記録テーブルＴＡＢＬＥ４０に記録されたデータに基づき生体データを測定する。この点に関しては実施例３で詳述する。一方、図４（Ｂ）はグリップ電極部１０の水平方向に対する傾きが水平から大きく外れてしまった場合を示している。図４（Ｂ）に示されるように、赤外線送信部２４により送信された赤外線はある一定の幅Ｓで広がるものの、赤外線受信部２５により受信することができない。判断部２１’は赤外線送信部２４により送信された赤外線を赤外線受信部２５が受信できないため、グリップ電極部１０の傾きが所定の範囲内にあると判断しないことになる。この結果、制御部２３はグリップ電極部１０、またはグリップ電極部１０および載置測定部１５にインピーダンス等のデータを測定させず、データ記録テーブルＴＡＢＬＥ４０へのデータの記録も行わない。この結果、生体データ測定器２は生体データを測定可能な状態ではなくなるが、この点に関しても実施例３で併せて詳述する。以上、赤外線送信部２４がグリップ電極部１０に設けられ、赤外線受信部２５が載置測定部１５に設けられた場合について説明した。赤外線送信部２４が載置測定部１５に設けられ、赤外線受信部２５がグリップ電極部１０に設けられた場合についても同様であるため、説明は省略する。
【００２２】
赤外線送信部２４はグリップ電極部１０の中央にある表示部１３の反対面側（下面側）に設置することが好適であるが、グリップ電極部１０の水平方向に対する傾きを検出可能なように赤外線を送信できる位置であれば、グリップ電極部１０の他の位置に設置してもよい。上述の説明ではグリップ電極部１０の傾きがほぼ水平である場合に所定の範囲内にあるものとしたが、これとは逆に、グリップ電極部１０の傾きが水平ではない場合（例えば、図４（Ｂ）の場合）に所定の範囲内にあるものとし、グリップ電極部１０の傾きがほぼ水平の場合（例えば、図４（Ａ）の場合）に所定の範囲内にはないものとしてもよい。即ち、グリップ電極部１０の傾きが水平ではない場合にインピーダンス等のデータを測定させ、グリップ電極部１０の傾きがほぼ水平の場合にインピーダンス等のデータを測定しないようにしてもよい。赤外線送信部２４が赤外線の送信を開始するのは、ユーザが生体データ測定器２の電源をオンにした時点以降が好適であり、この場合、赤外線受信部２５は同時点以降に赤外線の受信を待つことになる。あるいはグリップ電極部１０に赤外線送信スイッチ（不図示）を設けておき、ユーザがこの赤外線送信スイッチをオンにした時点から赤外線送信部２４が赤外線の送信を開始し、赤外線受信部２５はコード１４を介して送られた赤外線送信スイッチのオン情報に基づき赤外線の受信を待つようにしてもよい。以上、赤外線を用いて説明したが、本発明の実施例２で用いる無線は赤外線に限定されるものではなく、他の無線、例えば、免許を必要としない特定小電力無線とすることもできる。実施例１と同様に、機能ブロック２０に示される機能は、ハードウェアもしくはソフトウェア、またはハードウェアとソフトウェアとの組合せにより実現することができる。ソフトウェアにより実現する場合、グリップ電極部１０内または載置測定部１５内にあるＣＰＵ等の処理部（不図示）が機能を実行することになる。実施例１と同様に、データ記録テーブルＴＡＢＬＥ４０はグリップ電極部１０内または載置測定部１５内に設けることができる。上述したグリップ電極部１０の傾きを検出するための通信以外の通信、例えば測定されたインピーダンス等のデータの通信は、コード１４を介して行われる。従って、載置測定部１５内に処理部がある場合、グリップ電極部１０で測定されたデータはコード１４を介して載置測定部１５へ送信される。逆に、グリップ電極部１０内に処理部がある場合、載置測定部１５で測定されたデータはコード１４を介してグリップ電極部１０へ送信される。一方、これとは別に、上述したグリップ電極部１０の傾きを検出するための通信と、測定されたインピーダンス等のデータの通信との両方を、赤外線送信部２４および赤外線受信部２５を利用した無線の形態で行うことも可能である。即ち、グリップ電極部１０と載置測定部１５との間の通信をすべて無線の形態で行うこともできる。
【００２３】
以上より、本発明の実施例２によれば、判断部２１’は、グリップ電極部１０に設けられた赤外線を送信する赤外線送信部２４と載置測定部１５に設けられた赤外線受信部２５とを有するか、または、載置測定部１５に設けられた赤外線を送信する赤外線送信部２４とグリップ電極部１０に設けられた赤外線受信部２５とを有している。この場合、判断部２１’は赤外線送信部２４により送信された赤外線を赤外線受信部２５が受信したか否かにより、グリップ電極部１０の傾きが所定の範囲内にあるか否かを判断することができる。赤外線送信部２４により送信された赤外線はある一定の幅Ｓで広がるが、グリップ電極部１０の水平方向に対する傾きがほぼ水平である場合は、赤外線受信部２５により受信することができる。判断部２１’は赤外線送信部２４により送信された赤外線を赤外線受信部２５が受信した場合、グリップ電極部１０の傾きが所定の範囲内にあると判断する。この結果、制御部２３はグリップ電極部１０、またはグリップ電極部１０および載置測定部１５にインピーダンス等のデータを測定させ、この測定させたデータをデータ記録テーブルＴＡＢＬＥ４０に記録する。生体データ測定器２は、制御部２３によりデータ記録テーブルＴＡＢＬＥ４０に記録されたデータに基づき生体データを測定する。一方、グリップ電極部１０の水平方向に対する傾きが水平から大きく外れてしまった場合、赤外線送信部２４により送信された赤外線はある一定の幅Ｓで広がるものの、赤外線受信部２５により受信することができない。判断部２１’は赤外線送信部２４により送信された赤外線を赤外線受信部２５が受信できないため、グリップ電極部１０の傾きが所定の範囲内にあると判断しないことになる。この結果、制御部２３はグリップ電極部１０、またはグリップ電極部１０および載置測定部１５にインピーダンス等のデータを測定させず、データ記録テーブルＴＡＢＬＥ４０へのデータの記録も行わない。この結果、生体データ測定器２は生体データを測定可能な状態ではなくなる。以上より、判断部２１’が、グリップ電極部１０の傾きがほぼ水平である場合にのみグリップ電極部１０にインピーダンス等のデータを測定させるため、実施例１と同様に、手でグリップ電極部１０を握るタイプの体組成計２において、様々なユーザに対して測定の度にグリップ電極を適切に把持するように制御することが可能となる。
【実施例３】
【００２４】
実施例３では、上述した実施例１、２の生体データ測定器１、２において、データ記録テーブルＴＡＢＬＥ４０に生体データ測定器１が生体データを測定可能となるだけの所定の量のデータが記録されたかどうかに関する点を含め、判断部２１、２１’によりグリップ電極部１０の傾きが所定の範囲内にあると判断されなかった場合について説明する。
【００２５】
図５は、判断部２１、２１’（以下、「判断部２１等」と言う。）および制御部２３が行う処理をフローチャートで示す。図５に示されるように、まず生体データ測定器１および２（以下、生体データ測定器１等と言う。）は所定のフラグＦＬＧを０にし（リセットし）、データ記録テーブルＴＡＢＬＥ４０のインデックスＩＮＤを０にする（ステップＳ１０）。次に、判断部２１等はグリップ電極部１０の傾きが所定の範囲内にあるか否かを判断する（ステップＳ１２）。制御部２３は、ステップＳ１２で判断部２１等によりグリップ電極部１０の傾きが所定の範囲内にあると判断された場合、フラグＦＬＧの値を判断する（ステップＳ１４）。制御部２３は、ステップＳ１４でフラグＦＬＧが０（リセット）の場合、グリップ電極部１０、またはグリップ電極部１０および載置測定部１５にインピーダンス等のデータを測定させ（ステップＳ２０）、測定させたデータをデータ記録テーブルＴＡＢＬＥ４０（ＩＮＤ）に記録する（ステップＳ２２）。生体データ測定器１等はデータの測定が終了したか否かを判断し（ステップＳ２４）、終了していない場合はインデックスＩＮＤを１だけ増加させ（ステップＳ２６）、ステップＳ１２へ戻って処理を繰り返す。以上のように、測定開始時は勿論、測定中もグリップ電極部１０の傾きが所定の範囲内にあるか否かを判断する。
【００２６】
図６は、データ記録テーブルＴＡＢＬＥ４０（ＩＮＤ）を示す。データ記録テーブルＴＡＢＬＥ４０のインデックスＩＮＤは０から所望の値Ｎまであり、上述のように、グリップ電極部１０、またはグリップ電極部１０および載置測定部１５に測定させたインピーダンス等のデータが順に記録されていく。
【００２７】
図５に戻って説明する。ステップＳ１２で判断部２１等がグリップ電極部１０の傾きが所定の範囲内にあると判断し続けた場合、制御部２３は、グリップ電極部１０、またはグリップ電極部１０および載置測定部１５にインピーダンス等のデータを測定させ続け、測定させたデータをデータ記録テーブルＴＡＢＬＥ４０（ＩＮＤ）に記録していく。ステップＳ２４で、インデックスＩＮＤが上述の所望の値Ｎに等しい場合、生体データ測定器１等はデータの測定が終了したと判断し、制御部２３によりデータ記録テーブルＴＡＢＬＥ（０）からデータ記録テーブルＴＡＢＬＥ（Ｎ）に記録されたデータに基づき生体データを測定して、処理は終了する。即ち、データ記録テーブルＴＡＢＬＥ（０）からデータ記録テーブルＴＡＢＬＥ（Ｎ）に記録されたデータは、生体データ測定器１等が生体データを測定可能となるだけの所定の量であり、Ｎはその際のデータ記録テーブルＴＡＢＬＥのインデックスの値となる。
【００２８】
ステップＳ１２で判断部２１等によりグリップ電極部１０の傾きが所定の範囲内にあると判断されなかった場合、所定のデータを出力する（ステップＳ３０）と共にフラグＦＬＧを１にする（セットする）（ステップＳ３２）データ出力部（不図示）をさらに備えることができる。所定のデータとしては、例えば「角度が水平ではありません。」という旨の音声データとし、データ出力部としてはスピーカ（不図示）を用いればよい。音声データとして警告音を用いることもできる。所定のデータとして光の点滅を用い、データ出力部として発光装置（不図示）を用いてもよい。あるいは、所定のデータとして、例えば「角度が水平ではありません。」という旨の表示データとし、データ出力部としては表示部１３を用いればよい。所定のデータとしてグリップ電極部１０を振動させる信号を用い、データ出力部として振動装置（不図示）を用いてもよい。所定のデータとしてはユーザに注意を促すものであれば他のデータであってもよく、所定のデータは任意に組合せることもできる。ステップＳ３２でフラグＦＬＧをセットした後、ステップＳ１２へ戻って処理を繰り返す。従って、グリップ電極部１０の傾きが所定の範囲内にあると判断されない限り、データ出力部により所定のデータが出力され続けるため、データの測定は行われない。
【００２９】
制御部２３は、判断部２１等によりグリップ電極部１０の傾きが所定の範囲内にあると判断された場合（ステップＳ１２）であって且つフラグＦＬＧがセットされていた場合（ステップＳ１４）、フラグＦＬＧをリセットし（ステップＳ１６）、インデックスＩＮＤを０にする（ステップＳ１８）。この後、制御部２３はグリップ電極部１０、またはグリップ電極部１０および載置測定部１５にインピーダンス等のデータを測定させ（ステップＳ２０）、測定させたデータをデータ記録テーブルＴＡＢＬＥ４０（ＩＮＤ）に記録する（ステップＳ２２）。この場合、インデックスＩＮＤはステップＳ１８で０にされているため、測定させたデータはデータ記録テーブルＴＡＢＬＥ４０（０）に記録されることになる。つまり、グリップ電極部１０の傾きが所定の範囲内にあると判断されなくなってから再び所定の範囲内にあると判断された場合、従前に測定させたデータは破棄され、最初から新たに測定をやり直すことになる。
【００３０】
あるいは、グリップ電極部１０の傾きが所定の範囲内にあると判断されなくなってから再び所定の範囲内にあると判断された場合、従前に測定させたデータを破棄せず、続けて新たに測定を行うこともできる。このためには、図５に示されるフローチャートにおいてインデックスＩＮＤを０にするステップＳ１８を削除し、ステップＳ１６の後に、インピーダンス等のデータを測定させるステップＳ２０へ進むようにするだけでよい。インデックスＩＮＤの値は最後にステップＳ２６で増加させた時の値を保ち続けているため、新たに測定させたデータはデータ記録テーブルＴＡＢＬＥ４０（ＩＮＤ）に記録されることになる。以上をまとめると、制御部２３は、判断部２１等によりグリップ電極部１０の傾きが所定の範囲内にあると判断された場合（ステップＳ１２）であって且つフラグＦＬＧがセットされていた場合（ステップＳ１４）、フラグＦＬＧをリセットする（ステップＳ１６）。この後、制御部２３はグリップ電極部１０、またはグリップ電極部１０および載置測定部１５にインピーダンス等のデータを測定させ（ステップＳ２０）、測定させたデータをデータ記録テーブルＴＡＢＬＥ４０（ＩＮＤ）に記録する（ステップＳ２２）。
【００３１】
以上より、本発明の実施例３によれば、判断部２１等によりグリップ電極部１０の傾きが所定の範囲内にあると判断されなかった場合、所定のデータを出力すると共にフラグＦＬＧを１にするデータ出力部をさらに備えることができる。グリップ電極部１０の傾きが所定の範囲内にあると判断されない限り、データ出力部により所定のデータが出力され続け、データの測定は行われない。制御部２３は、判断部２１等によりグリップ電極部１０の傾きが所定の範囲内にあると判断された場合であって且つフラグＦＬＧがセットされていた場合、フラグＦＬＧをリセットし、インデックスＩＮＤを０にする。この後、制御部２３はグリップ電極部１０、またはグリップ電極部１０および載置測定部１５にインピーダンス等のデータを測定させ、測定させたデータをデータ記録テーブルＴＡＢＬＥ４０（ＩＮＤ）に記録する。つまり、グリップ電極部１０の傾きが所定の範囲内にあると判断されなくなってから再び所定の範囲内にあると判断された場合、従前に測定させたデータは破棄され、最初から新たに測定をやり直すことになる。あるいは、グリップ電極部１０の傾きが所定の範囲内にあると判断されなくなってから再び所定の範囲内にあると判断された場合、従前に測定させたデータを破棄せず、続けて新たに測定を行うこともできる。制御部２３は、判断部２１等によりグリップ電極部１０の傾きが所定の範囲内にあると判断された場合であって且つフラグＦＬＧがセットされていた場合、フラグＦＬＧをリセットする。この後、制御部２３はグリップ電極部１０、またはグリップ電極部１０および載置測定部１５にインピーダンス等のデータを測定させ、測定させたデータをデータ記録テーブルＴＡＢＬＥ４０（ＩＮＤ）に記録する。以上より、実施例１、２において、判断部２１等によりグリップ電極部１０の傾きが所定の範囲内にあると判断されなかった場合、グリップ電極部１０の傾きが所定の範囲内に戻るまでデータ出力部により所定のデータが出力されるため、データの測定を中断することができる。グリップ電極部１０の傾きが所定の範囲内に戻った場合、従前に測定させたデータを破棄して最初から新たに測定をやり直すことができ、あるいは従前に測定させたデータを破棄せず、続けて新たに測定を行うこともできる。
【産業上の利用可能性】
【００３２】
本発明の活用例として、体組成計等への適用が挙げられる。
【図面の簡単な説明】
【００３３】
【図１】本発明の実施例１における生体データ測定器１の斜視図である。
【図２】判断部２１が角度センサ２２を用いてグリップ電極部１０の傾きを判断する場合を説明するために左手用グリップ部１１Ｌの一部を示す図である。
【図３】本発明の実施例２における生体データ測定器２の斜視図である。
【図４】判断部２１’が赤外線送信部２４と赤外線受信部２５とを用いてグリップ電極部１０の傾きを判断する場合を説明するための図である。
【図５】判断部２１、２１’および制御部２３が行う処理を示すフローチャートである。
【図６】データ記録テーブルＴＡＢＬＥ４０（ＩＮＤ）を示す図である。
【符号の説明】
【００３４】
１、２  生体データ測定器、  １０  グリップ電極部、  １１Ｌ  左手用グリップ部、１１Ｒ  右手用グリップ部、  １２ＬＩ  左手用通電電極、  １２ＬＶ  左手用測定電極、  １２ＲＩ  右手用通電電極、  １２ＲＶ  右手用測定電極、  １３  表示部、  １４  コード、  １５  載置測定部、  １５ＬＩ  左足用通電電極、  １５ＬＶ  左足用測定電極、  １５ＲＩ  右足用通電電極、  １５ＲＶ  右足用測定電極、  ２０  機能ブロック、  ２１、２１’判断部、  ２２  角度センサ、  ２３  制御部、  ２４  赤外線送信部、  ２５  赤外線受信部。  
【図５】
0005493198.tif 000002
【図６】
0005493198.tif 000003
【図１】
0005493198.tif 000004
【図２】
0005493198.tif 000005
【図３】
0005493198.tif 000006
【図４】
0005493198.tif 000007